(57)【要約】【課題】取り回し性及び収納性に優れた長竿型研磨機の支持補助具、及び延長ハンドルを提供する。【解決手段】長竿型研磨機の一例としてのドライウォールサンダの支持補助具３０１は、使用者Ｕの身体に当接可能な板状のベース部３１０と、上方へ開放された凹形状を有するカップ部３１２とを有する支持補助具本体３０２を備えており、カップ部３１２は、ドライウォールサンダに係る被受け入れ部（ドライウォールサンダの延長ハンドル２の第２把持部２３４）を受け入れ可能である。カップ部３１２は、使用者Ｕの側（後側）において上方に突出する突出部３１２ａを有している。【選択図】図１１
2020131371.tif 000002
【特許請求の範囲】
【請求項１】
使用者の身体に当接可能な板状の身体当接部と、上方へ開放された凹形状を有する凹み部とを有する支持補助具本体を備えており、
前記凹み部は、長竿型研磨機に係る被受け入れ部を受け入れ可能である
ことを特徴とする長竿型研磨機の支持補助具。
【請求項２】
前記凹み部は、前記使用者側において上方に突出する突出部を有している
ことを特徴とする請求項１に記載の長竿型研磨機の支持補助具。
【請求項３】
更に、前記使用者が装備する装備品へ装着するための装着部を有している
ことを特徴とする請求項１又は請求項２に記載の長竿型研磨機の支持補助具。
【請求項４】
前記装備品は、腰ベルトである
ことを特徴とする請求項３に記載の長竿型研磨機の支持補助具。
【請求項５】
前記装着部は、１個以上のフックである
ことを特徴とする請求項３又は請求項４に記載の長竿型研磨機の支持補助具。
【請求項６】
前記身体当接部における身体当接面は、側面視で反使用者側に曲がっている
ことを特徴とする請求項１ないし請求項５の何れかに記載の長竿型研磨機の支持補助具。
【請求項７】
前記長竿型研磨機に、前記被受け入れ部を有する延長ハンドルが接続されている
ことを特徴とする請求項１ないし請求項６の何れかに記載の長竿型研磨機の支持補助具。
【請求項８】
前記被受け入れ部は、前記長竿型研磨機の長手方向と交差する方向に延びている
ことを特徴とする請求項１ないし請求項７の何れかに記載の長竿型研磨機の支持補助具。
【請求項９】
請求項１ないし請求項８の何れかに記載の前記支持補助具により支持の補助がなされる
ことを特徴とする長竿型研磨機。
【請求項１０】
長竿型研磨機に接続するための接続部と、
前記長竿型研磨機の長手方向と交差する方向に延びる交差延設部と
を備えている
ことを特徴とする長竿型研磨機の延長ハンドル。
【請求項１１】
請求項１０に記載の前記延長ハンドルを接続可能である
ことを特徴とする長竿型研磨機。
【請求項１２】
バッテリが着脱可能であるバッテリ装着部と、
延長ハンドルを接続可能である被接続部と、
を備えており、
前記被接続部に前記延長ハンドルが接続された状態で、前記バッテリ装着部に前記バッテリが着脱可能である
ことを特徴とする長竿型研磨機。
【発明の詳細な説明】
【技術分野】
【０００１】
本発明は、ドライウォールサンダ、長竿型ポリッシャ、長竿型グラインダ、長竿型コンクリートカンナ等の長竿型研磨機、及び長竿型研磨機を支持する際に用いられる支持補助具、並びに長竿型研磨機の延長ハンドルに関する。
【背景技術】
【０００２】
欧州特許出願公開第１８００７９６号明細書（特許文献１）には、使用者が部屋の天井に適用する工具のアームを支持する際にその支持を補助するための支持補助具が開示されている。
この支持補助具は、三脚と、アームを支持するクランプと、キャスタとを備えている。
【先行技術文献】
【特許文献】
【０００３】
【特許文献１】欧州特許出願公開第１８００７９６号明細書
【発明の概要】
【発明が解決しようとする課題】
【０００４】
このような支持補助具では、天井へ適用される工具のアームを支持するために大型となり、取り回し及び収納が行い難い。
そこで、本発明の主な目的は、取り回し性及び収納性に優れた長竿型研磨機の支持補助具、及び延長ハンドルを提供することである。
又、本発明の別の主な目的は、バッテリの取り扱い性に優れた延長ハンドルが接続可能な長竿型研磨機を提供することである。
【課題を解決するための手段】
【０００５】
上記目的を達成するために、請求項１に記載の発明は、長竿型研磨機の支持補助具において、使用者の身体に当接可能な板状の身体当接部と、上方へ開放された凹形状を有する凹み部とを有する支持補助具本体を備えており、前記凹み部は、長竿型研磨機に係る被受け入れ部を受け入れ可能であることを特徴とするものである。
請求項２に記載の発明は、上記発明において、前記凹み部は、前記使用者側において上方に突出する突出部を有していることを特徴とするものである。
請求項３に記載の発明は、上記発明において、更に、前記使用者が装備する装備品へ装着するための装着部を有していることを特徴とするものである。
請求項４に記載の発明は、上記発明において、前記装備品は、腰ベルトであることを特徴とするものである。
請求項５に記載の発明は、上記発明において、前記装着部は、１個以上のフックであることを特徴とするものである。
請求項６に記載の発明は、上記発明において、前記身体当接部における身体当接面は、側面視で反使用者側に曲がっていることを特徴とするものである。
請求項７に記載の発明は、上記発明において、前記長竿型研磨機に、前記被受け入れ部を有する延長ハンドルが接続されていることを特徴とするものである。
請求項８に記載の発明は、上記発明において、前記被受け入れ部は、前記長竿型研磨機の長手方向と交差する方向に延びていることを特徴とするものである。
請求項９に記載の発明は、長竿型研磨機において、上記発明の前記支持補助具により支持の補助がなされることを特徴とするものである。
請求項１０に記載の発明は、長竿型研磨機の延長ハンドルにおいて、長竿型研磨機に接続するための接続部と、前記長竿型研磨機の長手方向と交差する方向に延びる交差延設部とを備えていることを特徴とするものである。
請求項１１に記載の発明は、長竿型研磨機において、上記発明の前記延長ハンドルを接続可能であることを特徴とするものである。
請求項１２に記載の発明は、長竿型研磨機において、バッテリが着脱可能であるバッテリ装着部と、延長ハンドルを接続可能である被接続部と、を備えており、前記被接続部に前記延長ハンドルが接続された状態で、前記バッテリ装着部に前記バッテリが着脱可能であることを特徴とするものである。
【発明の効果】
【０００６】
本発明の主な効果は、取り回し性及び収納性に優れた長竿型研磨機の支持補助具、及び延長ハンドルが提供されることである。
又、本発明の別の主な効果は、バッテリの取り扱い性に優れた延長ハンドルが接続可能な長竿型研磨機が提供されることである。
【図面の簡単な説明】
【０００７】
【図１】本発明に係るドライウォールサンダ及び延長ハンドルの斜視図である。
【図２】図１の分離状態の斜視図である。
【図３】図１のドライウォールサンダの右側面図及び延長ハンドルの縦中央断面図である。
【図４】図１のドライウォールサンダの後部後の中央縦断面図である。
【図５】図１のドライウォールサンダの後部前の中央縦断面図である。
【図６】図１のドライウォールサンダの前部の中央縦断面図である。
【図７】図３のＡ−Ａ線断面図である。
【図８】図３のＢ−Ｂ線断面図である。
【図９】本発明に係る支持補助具の（Ａ）前側，（Ｂ）後側の斜視図である。
【図１０】図９の支持補助具の（Ａ）上面図，（Ｂ）前面図，（Ｃ）（Ｂ）のＣ−Ｃ線断面図，（Ｄ）（Ｂ）のＤ−Ｄ線断面図，（Ｅ）後面図である。
【図１１】図９の支持補助具の使用態様に係る斜視説明図である。
【図１２】図９の支持補助具により支持を補助された図１のドライウォールサンダ及び延長ハンドルの使用態様に係る斜視説明図である。
【発明を実施するための形態】
【０００８】
以下、本発明の実施の形態及びその変更例が、適宜図面に基づいて説明される。
当該形態は、長竿型研磨機の一例としてのドライウォールサンダにおける使用者による支持を補助する支持補助具に係るものである。
当該形態及び変更例における前後上下左右は、説明の便宜上定めたものであり、作業の状況及び移動する部材の状態の少なくとも一方等により変化することがある。
尚、本発明は、当該形態及び変更例に限定されない。
【０００９】
図１は、本発明の実施形態に係るドライウォールサンダ１及び延長ハンドル２の斜視図である。図２は、ドライウォールサンダ１と延長ハンドル２とを分離した状態の斜視図である。図３は、ドライウォールサンダ１の右側面図及び延長ハンドル２の縦中央断面図である。図４は、ドライウォールサンダ１の後部後の中央縦断面図である。図５は、ドライウォールサンダ１の後部前の中央縦断面図である。図６は、ドライウォールサンダ１の前部の中央縦断面図である。図７は、図３のＡ−Ａ線断面図である。図８は、図３のＢ−Ｂ線断面図である。
ドライウォールサンダ１は、前後方向（ドライウォールサンダ１の長手方向）に延びる竿部３と、竿部３の後端部（第２端部）に設けられるハンドル部４と、竿部３の前端部（第１端部）において吊枠部６を介して連結されたヘッド部８と、を備えている。
【００１０】
延長ハンドル２は、前後に延びるポール状の延長ハンドル本体部２００と、その前端部（延長ハンドル２の第１端部）に設けられておりドライウォールサンダ１のハンドル部４に接続可能である二股状のフレーム部２０２（接続部）と、延長ハンドル本体部２００の後端部（延長ハンドル２の第２端部）に設けられた操作部２０４と、を備えている。
【００１１】
フレーム部２０２は、延長ハンドル本体部２００に固定されるベース部２１０と、ベース部２１０から前方へ突出する左右のアーム部２１２Ｌ，２１２Ｒと、ベース部２１０の上側に設けられており後方に半円柱状に凹んで前方へ開放された碗状のカップ部２１４と、を有する。
アーム部２１２Ｌ，２１２Ｒの中央部及び後部は前後方向に延びており、それらの前部は、中央部に対して左右方向の内方に斜行し、それらの前端部は、中央部より間隔の狭い状態で前後方向に延びている。アーム部２１２Ｒの前端部には、ボルト２２０が通過可能なボルト孔２２２が形成されている。アーム部２１２Ｌの前端部には、ボルト２２０を固定するナット２２４が、ナット穴に入った状態で取り付けられている。ボルト２２０は、使用者が片手で掴める頭部２２６と、頭部２２６から延びてナット２２４に進入可能なネジ部２２８とを有している。
使用者は、ボルト２２０を、手で頭部２２６を回転することにより、ドライバ等の工具を使用せずにナット２２４に対して着脱することができ、ボルト２００はツールレスで着脱可能となっている。
【００１２】
操作部２０４は、前後に延びる第１把持部２３０と、第１把持部２３０の前端部において径方向外方に突出するように設けられるフランジ２３２と、第１把持部２３０の後端部において左右に円柱状に延びる第２把持部２３４（被受け入れ部，交差延設部）と、を有する。
第１把持部２３０の長さは、一般的な使用者の手の平の大きさと同様であり、指の太さの４倍程度とされている。
第２把持部２３４は、前後方向に対して交差する左右方向に延びている。尚、第２把持部２３４（の中心線）の前後方向に対する角度は、９０°でなくても良い。
操作部２０４は、第１把持部２３０と第２把持部２３４とにより、上面視で“Ｔ”字形となっている。
【００１３】
ドライウォールサンダ１の竿部３は、前後に延びており、第１竿体としての大径パイプ１０と、その内側にスライド可能に入る第２竿体としての小径パイプ１２と、を有している。大径パイプ１０と小径パイプ１２との一方が他方に対してスライドすることにより、竿部３がテレスコピック機構を有して伸縮自在となる。
小径パイプ１２は、円筒状であり、ハンドル部４の外郭である前ハンドルハウジング１４及び後ハンドルハウジング１５に取り付けられている。小径パイプ１２の前端部には、フランジ筒１６が固定されている。フランジ筒１６における前部のフランジ部は、小径パイプ１２の前端から飛び出して大径パイプ１０の内面に接触している。他方、フランジ筒１６におけるフランジ部以外の部分の外面は、小径パイプ１２の内面と接触している。フランジ筒１６におけるフランジ部の径方向内方における孔は、前広がりとなっている。尚、前ハンドルハウジング１４及び後ハンドルハウジング１５により、ハンドルハウジング１８（第２ハウジング）が構成される。
大径パイプ１０は、小径パイプ１２が通る円筒状の第１中空部２０及びその下部に添うような断面“Ｕ”字状の第２中空部２２を有する二穴管であり、アルミニウム材の押し出しにより形成されている。大径パイプ１０の外面（第１中空部２０と第２中空部２２とを仕切る仕切り壁の隣接部）には、大径パイプ１０の前後方向のスライドの案内を行い、又大径パイプ１０の上下左右方向の位置決めを行うための大径パイプガイド溝２３が形成されている。
大径パイプ１０の第１中空部２０の後端部には、小径パイプ１２の外面に接触し又は近接する円筒状のストップリング２４が固定されている。又、大径パイプ１０の第２中空部２２の後端は、第１中空部２０の後端より前方に配置されている。第１中空部２０の後端部の下方であって、第２中空部２２の後端の後側には、断面“Ｕ”字状のリード線ガイド２６が取り付けられている。
【００１４】
後ハンドルハウジング１５は、左右半割であり、左部と右部とが互いに組み合わせられた状態で左右方向のネジ２８によって止められることで形成されている。
前ハンドルハウジング１４は、左右半割であり、左部と右部とが互いに組み合わせられた状態で左右方向のネジ２９によって止められることで形成されている。前ハンドルハウジング１４の後端部は、その筒状の前部に対して碗状に拡大しており、後ハンドルハウジング１５の前端部を挟んでいて、前ハンドルハウジング１４は後ハンドルハウジング１５に取り付けられる。
前ハンドルハウジング１４は、前後に延びており竿部３を収める前竿収納部３０を有している。
【００１５】
後ハンドルハウジング１５は、前後に延びており竿部３を収める後竿収納部３１と、その後部の上方に配置された丘状のグリップ基部３２と、その後上部から後方に突出した上面視“Ｔ”字状のグリップ部３４と、後竿収納部３１の後方に配置されたバッテリ装着部３５と、その下前方に配置された、後方に広がるジョイント保持部３６と、を有している。
後ハンドルハウジング１５の左右側部であって、グリップ基部３２及び後竿収納部３１上端部の外郭には、周囲に対して左右方向の内方に窪む窪み部３７（延長ハンドル２の被接続部）が形成されている。窪み部３７は、グリップ基部３２の上面と同様に後上がりの方向に延びており、延長ハンドル２のアーム部２１２Ｌ，２１２Ｒの前端部内面に対応する形状を有している。各窪み部３７の前部には、ボルト２２０のネジ部２２８が通過可能であるボルト通過孔３８が開けられている。
グリップ部３４は、前後方向に延びるグリップ部本体３４ａと、その後端部において左右両側に円柱状に延びる延設部３４ｂと、を有している。延設部３４ｂの後部は、延長ハンドル２のカップ部２１４の内面に対応する外面を有している。
【００１６】
延長ハンドル２は、後ハンドルハウジング１５に対して、次のように接続される。即ち、アーム部２１２Ｌ，２１２Ｒの前端部が対応する窪み部３７に入れられる。このとき、各ボルト通過孔３８とボルト孔２２２，ナット２２４とが、左右に並ぶ。又、グリップ部３４の延設部３４ｂが、カップ部２１４に入る。そして、ボルト２２０のネジ部２２８が、ボルト孔２２２と各ボルト通過孔３８とを通過してナット２２４にねじ込まれて、延長ハンドル２のフレーム部２０２が後ハンドルハウジング１５に固定される。
又、延長ハンドル２は、かような取付と逆の手順で取り外される。
【００１７】
ジョイント保持部３６には、後竿収納部３１及びバッテリ装着部３５の間からバッテリ装着部３５の下側までにわたる側面視“Ｓ”字状の空間を含む筒状のジョイント４０（集塵機接続部）が保持される。ジョイント４０の前方に開放された上端部には、小径パイプ１２の後端部が接続され、ジョイント４０の後方に開放された下端部には、図４に先端部のみ図示された集塵機の集塵ホース４２が接続される（集塵ホース接続部，集塵機接続部）。
後ハンドルハウジング１５内における後竿収納部３１の上とグリップ基部３２の下との境界には、左右両側から内方へ突出し前後方向に延びる上竿収納部リブ４４が立てられている。双方の上竿収納部リブ４４は、竿部３の上方に位置しており、それらの先端は、互いに接触している。
上竿収納部リブ４４の後部は、断面逆“Ｕ”字状に形成されたバンド取付部４４ａを有しており、その内方には、小径パイプ１２の後端部を保持するバンド４５が、左右方向のネジ４６により取り付けられている。バンド４５の径方向内方には、ジョイント４０の前上部が配置されている。
【００１８】
前竿収納部３０は、円筒状に形成されて外部に露出している。
前竿収納部３０の前端部には、外面に形成された第１ネジ溝５０を有するネジ溝部５２が配置されている。ネジ溝部５２の内側には、固定筒５４が配置されている。固定筒５４の後部の外面は、ネジ溝部５２の内面と接触しており、固定筒５４の内面は、大径パイプ１０の外面に接触している。固定筒５４の前部には、他の部分に対して径方向外方に突出するリング状の固定筒突出部５６が形成されている。固定筒突出部５６は、前部において、後方へと広がる第１テーパ面５８を有している。又、ネジ溝部５２の外側には、外筒６０が配置されている。外筒６０の内面には、ネジ溝部５２の第１ネジ溝５０に入る第２ネジ溝６２と、その前方においてリング状に配置された前すぼまりの第２テーパ面６４とが形成されている。
使用者により外筒６０が前進する方向に回転されると、第２テーパ面６４が固定筒５４の第１テーパ面５８から離れて、固定筒５４の大径パイプ１０に対する圧接が解除される。この状態では、大径パイプ１０が小径パイプ１２に対して相対的に前後移動可能であり、竿部３の長さが変更可能である。使用者は、竿部３において所望の長さが得られた状態で、外筒６０を後退する方向に回していく。すると、第２テーパ面６４が固定筒５４の第１テーパ面５８に接触して固定筒５４を径方向内方に押すようになり、固定筒５４はその内方の大径パイプ１０に圧接して、大径パイプ１０を固定する。このように、外筒６０と固定筒５４と（ネジ溝部５２と）により、竿部３が任意の伸縮位置で固定可能とされている。
竿部３が短くなる場合、大径パイプ１０は前ハンドルハウジング１４及び後ハンドルハウジング１５（前竿収納部３０及び後竿収納部３１）と小径パイプ１２との間を通過する。
竿部３が最も長い状態である場合、大径パイプ１０のストップリング２４が小径パイプ１２のフランジ筒１６のフランジ部に当たる。このとき、大径パイプ１０の後端部は、外筒６０の内方に位置する。
他方、竿部３が最も短い状態である場合、大径パイプ１０の後端が上竿収納部リブ４４のバンド取付部４４ａに当たる。このとき、吊枠部６が、外筒６０の前側に位置する。
【００１９】
ハンドル部４は、上述の前ハンドルハウジング１４及び後ハンドルハウジング１５並びにジョイント４０と、グリップ部３４の前端部内に保持されたスイッチ７２と、その下方において後部が露出するように配置された前後に延びるトリガ７４と、その上側に配置されたロックオン部材７６と、トリガ７４の前側に配置されたトリガロック部材７８と、グリップ基部３２の上部に保持された速度調節ダイヤル８０と、グリップ基部３２の前部に保持されたコントローラ８２と、無線通信アダプタ８３を挿入するためにグリップ基部３２内に形成された無線通信アダプタ挿入部８４と、を備えている。
【００２０】
後ハンドルハウジング１５のバッテリ装着部３５には、充電器（図示略）により充電可能である、電力供給源としての直方体（四角柱）状のバッテリ８６を装着可能である。
バッテリ８６は、取り外しの際に使用するバッテリボタン９２を有している。バッテリボタン９２は、バッテリ装着部３５に係止可能な図示されないバッテリ爪と一体であり、当該バッテリ爪が外方に突出している状態から内部へ退く状態となるまでスライド可能であり、当該バッテリ爪が突出している状態となるよう図示されない弾性体により付勢されている。
バッテリ８６は、その最長辺が左右方向を向き、バッテリボタン９２が左側となる状態で、バッテリ装着部３５の左側から右方へスライドされることにより、バッテリ装着部３５に装着される。このとき、突出したバッテリ爪がバッテリ装着部３５に形成された前方へ凹む凹部（図示略）に係止する。又、バッテリ８６とコントローラ８２とが電気的に接続される。
又、装着されたバッテリ８６は、バッテリボタン９２が後方にスライド操作されてバッテリ装着部３５に対する係止が解かれた状態で左方へスライドされることにより、取り外される。
バッテリ８６は、１８Ｖ出力のリチウムイオンバッテリであり、他の長竿型研磨機の支持補助具等においても用いることができる汎用的なものである。
【００２１】
スイッチ７２は、スイッチ本体部９６にプランジャ９７が弾性力により復帰可能に入ることで切替状態が変化するものであり、プランジャ９７が下側となるように設置されている。プランジャ９７が（遊びを超えて）スイッチ本体部９６に入ると、スイッチ７２の切替状態がオフからオンになる。
トリガ７４は、中央のトリガ軸部９８に設けられた左右方向の軸（図示略）が後ハンドルハウジング１５に支えられることで、揺動可能とされている。トリガ７４の上面と後ハンドルハウジング１５との間には、スプリング（図示略）が渡されている。トリガ７４の上面後部は、スプリングが自然長あるいはこれに近い伸長状態である場合、スイッチ７２のプランジャ９７に隣接しており、トリガ７４が上方に引かれると、スプリングが圧縮状態となり、トリガ７４の上面後部がプランジャ９７に接触してプランジャ９７を押す。
ロックオン部材７６は、左右方向に延び、左右各端部がロックオンボタン１００として露出する状態で設けられている。使用者がトリガ７４を引いた状態で左右何れかのロックオンボタン１００を押す（オンにする）と、移動したロックオン部材７６がトリガ７４の中央部に掛かり、引きを止めた場合に下方に戻ろうとするトリガ７４を食い止めて引き状態に維持する。よって、ロックオンボタン１００のオン操作時、スイッチ７２はオンに維持される。使用者がトリガ７４を更に上方に引くと、ロックオン部材７６は元の位置に戻り、トリガ７４の引き状態の維持が解除されるので、スイッチ７２のオン状態の維持が解かれる。
トリガロック部材７８は、左右方向に延び、左右両端部がトリガロックボタン１０１として露出する状態で設けられている。使用者がトリガ７４を引かない状態で左のトリガロックボタン１０１を押す（オンにする）と、トリガ７４の前端部にトリガロック部材７８が掛かり、引かれることで後部が上昇（前部が下降）しようとするトリガ７４を食い止めて、トリガ７４の引き操作が規制される。他方、使用者が右のトリガロックボタン１０１を押す（オフにする）と、左方に復帰したトリガロックボタン１０１はトリガ７４の引き操作の規制を解除する。
速度調節ダイヤル８０は、円盤状のダイヤル部１０２における曲面の上部が露出するように設けられている。使用者は、ダイヤル部１０２の操作により、速度調節ダイヤル８０の切替状態を変更可能である。速度調節ダイヤル８０の切替状態は、速度設定に対応する。
【００２２】
ハンドル部４に接続された延長ハンドル２のフレーム部２０２は、グリップ部３４とバッテリ装着部３５との間の空間をループ状に囲む。
使用者は、フレーム部２０２の上側あるいは内側においてグリップ部３４（グリップ部本体３４ａ）を握り、トリガ７４を操作することができる。
又、使用者は、フレーム部２０２の下側にあるバッテリ装着部３５に対し、バッテリ８６を着脱することができる。
バッテリ装着部３５に装着されたバッテリ８６の上方（左上方及び右上方）は、フレーム部２０２（アーム部２１２Ｌ，２１２Ｒ）により保護されており、バッテリ８６は、壁等の他の物体との上方からの衝突が抑制されている。
尚、延長ハンドル２の取付時、フレーム部２０２がバッテリ８６の側方及び後方を囲むようにされることで、取付時におけるバッテリ８６の装着が不能となるものの、バッテリ８６の保護性能がより向上するようにされても良い。
【００２３】
コントローラ８２は、上方に開いた開蓋箱状のコントローラケース１０４と、その上部において保持された制御回路基板１０６と、を備えている。
コントローラ８２は、上竿収納部リブ４４と一体に形成された、断面“Ｊ”字状の前方の第１リブ１０８と断面逆“Ｊ”字状の後方の第２リブ１１０とにより保持される。上竿収納部リブ４４における第２リブ１１０の後方の部分には、配線用スリット１１２が設けられている。
更に、後ハンドルハウジング１５の左右であって、コントローラ８２の両側方の部分には、グリップ基部３２の上面に沿った後上がりの方向に延びるスリット状の複数の通気孔１１６（通気口）が形成されている。各通気孔１１６は、対向し離隔した後ハンドルハウジング１５の左部及び右部の位置において、それぞれ上下前後に並んでいる。各通気孔１１６の隣接部（下側）には、内方及び上方に突出する塵衝突リブ１１７（塵衝突部）が設けられている。各塵衝突リブ１１７の上下に延びる部分の長さは、対応する通気孔１１６における上下方向の幅と同様である。
【００２４】
制御回路基板１０６は、バッテリ装着部３５と、スイッチ７２と、速度調節ダイヤル８０とに対して、図示されないリード線により電気的に接続されている。
又、制御回路基板１０６は、表示部１１８を搭載しており、表示部１１８の上部（４個のＬＥＤを含む）は、後ハンドルハウジング１５上面から露出している。制御回路基板１０６は、表示部１１８において、モータ負荷の大小を表示する。
更に、制御回路基板１０６には、ヘッド部８へ延びる竿部リード線（図示略）が接続されている。竿部リード線は、複数の単リード線の束であり、その単リード線の一部（制御リード線）が制御回路基板１０６に接続されている。単リード線の別の一部（電源リード線）は、バッテリ装着部３５に接続されている。即ち、竿部リード線は、ハンドル部４に連結されている。竿部リード線は、配線用スリット１１２の手前で一本化し、配線用スリット１１２及び小径パイプ１２の左方を通過して、小径パイプ１２の下部の空間であるリード線収納部Ｐに入り、一旦後方に向かった後でＵターンして（たわんで）前方に向かい、リード線ガイド２６を介して大径パイプ１０の第２中空部２２（リード線収容スペース）に入る。
リード線収納部Ｐには、竿部リード線の後部が収納される。リード線収納部Ｐは、竿収納部３０及び竿部３（小径パイプ１２）の径方向外方（下方）に配置されている。リード線収納部Ｐは、後端部において、ジョイント４０の前壁の一部である壁部Ｑを有している。壁部Ｑは、竿部３が最も短い収縮状態となって大径パイプ１０が竿収納部３０に完全に収納された場合の、大径パイプ１０の後端より後方に離れて配置されている。又、リード線収納部Ｐの幅（左右方向の大きさ）は、竿部３（大径パイプ１０）の幅（太さ，直径）より大きくなっている。
【００２５】
無線通信アダプタ挿入部８４は、後ハンドルハウジング１５右部の外面から内方へ箱状に凹むように形成されており、無線通信アダプタ８３を差し込み可能である。差し込んだ場合、無線通信アダプタ８３は、コントローラ８２の制御回路基板１０６に搭載された無線通信用コントローラ（図示略）と電気的に接続される。
無線通信アダプタ８３は、他の付帯設備としての上述の集塵機との間で無線通信を行う。無線通信によって、集塵機の起動動作，停止動作が、ドライウォールサンダ１の起動動作，停止動作と連動する。
予め、無線通信アダプタ８３と、集塵機に取り付けられた集塵機側無線通信アダプタとの間において、無線通信可能とするための関連付け（ペアリング）が行われる。ペアリングは、使用者が、集塵機側無線通信アダプタのボタンを押し、所定時間内に無線通信アダプタ８３のボタン（図示略）を操作することでなされる。
ペアリングが完了した状態でスイッチ７２がオンとなりドライウォールサンダ１が起動すると、その起動を示す起動情報が無線通信アダプタ８３から集塵機に送信され、集塵機側無線通信アダプタによる当該起動情報の受信に基づいて集塵機が自動的に起動する。無線通信状態は、無線通信アダプタ８３に設けられたランプの点灯状態によって、使用者に知らされる。
【００２６】
吊枠部６は、大径パイプ１０の先端部に取り付けられた左右二股の外枠１２４と、その先端部内においてネジ１２５を介して左右方向の軸周りに回転可能に接続された上面視矩形状の内枠１２６と、を備えている。
内枠１２６は、前面視及び後面視で共に“Ｖ”字状であり、それらの各最下部に挟まれるようにヘッド部８が配置される。ヘッド部８は、内枠１２６に、前後方向の軸の周りで回転可能に接続されている。
ヘッド部８は、吊枠部６によって、左右方向及び前後方向の合計２軸の周りで姿勢の変化が可能となっている。ヘッド部８は、比較的に大きな外枠１２４によって、主に左右方向の軸の周りで姿勢変化し、比較的に小さな内枠１２６によって、補助的に前後方向の軸の周りで姿勢変化する。
【００２７】
ヘッド部８は、釣鐘状のヘッド部外側ハウジング１３０（第１ハウジング）と、その内方に配置されたモータハウジング１３２と、その下方に取り付けられた、上部が筒状で下部が円盤状であるギヤハウジング１３４と、その下端部の外側に装着されたリング状のバンパー１３６と、モータハウジング１３２に保持された駆動源としての電動モータ１３８と、ギヤハウジング１３４の上部に保持された減速機構としての遊星歯車機構１４０と、ギヤハウジング１３４の下部に配置されたスピンドル１４２と、スピンドル１４２に対し上下方向のネジ１４４により取り付けられており、上部がバンパー１３６内に配置されている円盤状のパッド１４６と、を備えている。
ヘッド部外側ハウジング１３０と、モータハウジング１３２と、ギヤハウジング１３４とにより、ヘッド部ハウジング１４７が構成される。
【００２８】
ヘッド部外側ハウジング１３０の前後には、ボス部１４８が形成されている。各ボス部１４８には、吊枠部６（内枠１２６）が、前後方向のボルト１５０を介して相対的に回転可能に接続されている。
ヘッド部外側ハウジング１３０の前上部には、他の部分より上方に円筒状に突出した第１ホース接続部１５２が形成されている。第１ホース接続部１５２には、大径パイプ１０の第１中空部２０と連通する状態で吊枠部６の後上部に接続された第１ホース１５４の前端部が接続される。第１ホース１５４は、側面視で逆“Ｕ”字状の形状を維持するように取り回されている。
ヘッド部外側ハウジング１３０の前のボス部１４８の下方には、開口部が開けられている。
【００２９】
モータハウジング１３２は、左右半割であり、複数（６個）の左右方向のネジ１５６によって組み合わせられている。
モータハウジング１３２は、円筒状のモータハウジング本体部１５８と、その後部から後方及び下方へ側面視“Ｊ”字状に突出した筒状部１６０と、を有する。
筒状部１６０は、ヘッド部外側ハウジング１３０の後の開口部から外に出ている。
筒状部１６０の後上端部には、大径パイプ１０の第２中空部２２と連通する状態で吊枠部６の後下部に接続された第２ホース１６２の前端部が接続される。第２ホース１６２は、側面視で逆“Ｊ”字状の形状を維持するように取り回されている。大径パイプ１０の第２中空部２２、第２ホース１６２及び筒状部１６０の内部において、ハンドル部４のコントローラ８２から出て竿部３を通過する竿部リード線の前部が配置されている。竿部リード線における筒状部１６０に配置された部分には、着脱によって接続及び切り離しが自在である一対（雄雌）のコネクタ１６４が介装されている。
【００３０】
ギヤハウジング１３４上端部の開口部には、モータハウジング本体部１５８の下端部が嵌まっている。ギヤハウジング１３４は、その下部の上面辺縁がヘッド部外側ハウジング１３０下端部の開口部に入り込むことで、モータハウジング１３２と共にヘッド部外側ハウジング１３０に取り付けられている。
【００３１】
電動モータ１３８は、ＤＣ駆動のブラシレスモータであり、モータハウジング本体部１５８の上部内に保持されている。
電動モータ１３８は、ステータ１６６及びロータ１６８を備えている。ステータ１６６の内部に、ロータ１６８が配置されている（インナーロータ型）。電動モータ１３８は、コントローラ８２により制御される。
ロータ１６８は、回転駆動軸としてのモータ軸１７０を有している。モータ軸１７０の下端部には、ピニオン１７２が装着されている。モータ軸１７０は、それぞれモータハウジング１３２に保持される上軸受１７３及び下軸受１７４によって、回転可能に支持されている。
モータ軸１７０の下軸受１７４の上側には、冷却用のファン１７６が配置されている。ファン１７６は、モータ軸１７０に対して固定されており、回転により、遠心方向に風を送り出す（遠心ファン）。ファン１７６は、モータハウジング１３２の中央部内に配置されており、モータハウジング１３２の左右の中央部には、内排気口（図示略）が形成され、ヘッド部外側ハウジング１３０の左右の中央部であって各内排気口の外側には、外排気口（図示略）が形成されている。内排気口及び外排気口は、ファン１７６の放射方向外方に位置しており、ファン１７６の風は、効率的に排出される。
他方、ヘッド部外側ハウジング１３０の上部及びモータハウジング１３２の上部には、外部とモータハウジング１３２内とを通気可能につなぐ複数の吸気口１７９が形成されている。
【００３２】
遊星歯車機構１４０は、ギヤハウジング１３４を外郭とし、上下方向の機軸（モータ軸１７０の中心軸及びスピンドル１４２の中心軸が含まれる）を中心にそれぞれ配置された２段の遊星歯車列を有していて、モータ軸１７０の回転を減速してスピンドル１４２に伝える。
【００３３】
遊星歯車機構１４０の下段（２段目）の遊星歯車列に係るキャリアの中央部には、スピンドル１４２の後端部が取り付けられている。
スピンドル１４２は、スピンドル上軸受１８２及びスピンドル下軸受１８４により、回転可能に支持されている。スピンドル上軸受１８２及びスピンドル下軸受１８４は、ギヤハウジング１３４に保持されている。
【００３４】
パッド１４６は、モータハウジング１３２の下方に配置されている。
パッド１４６の下面には、サンドペーパーを始めとする先端工具（図示略）が装着される。パッド１４６の下面は、先端工具を介した接触により被加工材に研磨を施す研磨面となっている。
パッド１４６は、中心を同じくする仮想的な円に沿って並ぶように、上下方向のパッド孔１９０を複数有している。これらのパッド孔１９０は、周方向で等間隔に並んでいる。先端工具は、パッド孔１９０と同様の先端工具孔を有している。
又、ギヤハウジング１３４の前下部には、上下方向のギヤハウジング孔１９２が形成されている。ギヤハウジング孔１９２の上方には、ヘッド部外側ハウジング１３０前部とモータハウジング１３２前部との間の空間Ｓが位置しており、更に上方には、第１ホース接続部１５２が位置している。
【００３５】
図９（Ａ）は、本発明に係る支持補助具３０１の前側の斜視図である。図９（Ｂ）は、支持補助具３０１の後側の斜視図である。図１０（Ａ）は、支持補助具３０１の上面図である。図１０（Ｂ）は、支持補助具３０１の前面図である。図１０（Ｃ）は、図１０（Ｂ）のＣ−Ｃ線断面図である。図１０（Ｄ）は、図１０（Ｂ）のＤ−Ｄ線断面図である。図１０（Ｅ）は、支持補助具３０１の後面図である。
支持補助具３０１は、樹脂製の支持補助具本体３０２と、複数（２個）の金属製のフック３０４（装着部）とを有する。
【００３６】
支持補助具本体３０２は、剛体によって一体に形成されており、板状の身体当接部としてのベース部３１０と、その上部中央において上方に開放する凹形状に形成された凹み部としてのカップ部３１２とを有する。
ベース部３１０は、その中央の左右に設けられた複数（２箇所）のフック取付部３２０と、カップ部３１２を除く外縁において周囲より後方に突出する外縁リブ３２１と、カップ部３１２の底から下端縁までの間で上下に延びており周囲より後方に突出する複数（２対の筋で計４筋）の縦リブ３２２と、カップ部３１２の左右、各フック取付部３２０の左右及びその下方においてそれぞれ左右に延びており周囲より後方に突出する複数（上下３段）の横リブ３２４とを有する。
ベース部３１０の下部は、上部に対して徐々に前方となるようなカーブを有しており、ベース部３１０における後面（身体当接面）の下部は、側面視で反使用者Ｕ側に曲がっている。
各フック取付部３２０は、前面視で、左右方向に長い直方体の上部に半円柱状の突出部が複数（２箇所）左右に設けられた形状を呈しており、各半円柱状の突出部とその下側において後面から前方へ形成されたれたネジ穴を含むネジ穴部３３０と、各ネジ穴部３３０の下側において後面から前方へ形成された爪穴を含む爪穴部３３２とを有している。縦リブ３２２は、各フック取付部３２６の各ネジ穴部３３０の上側からカップ部３１２の下面まで延びており、又爪穴部３３２の下方から下段の横リブ３２４の上面まで及びその下面から下辺の外縁リブ３２１の上面まで延びている。又、中段の横リブ３２４は、各フック取付部３２０の直方体部分とつながっている。
ベース部３１０は、外縁リブ３２１、縦リブ３２２及び横リブ３２４により、これらの前後方向での寸法と同様な肉厚を有する板と同様な強度が確保され、当該板より軽量で、材料使用量が低減される。又、外縁リブ３２１、縦リブ３２２及び横リブ３２４がベース部３１０の前面から前方へ立っているため、ベース部３１０の後面が平坦に形成可能である。
カップ部３１２は、上方に向けて凹形状になっている。カップ部３１２の下部は、延長ハンドル２の操作部２０４の第２把持部２３４の後半部に対応するような半円柱状に凹んでおり、操作部２０４の第２把持部２３４を受け入れ可能である。カップ部３１２の上部は、下部の後部から上方に突出する突出部３１２ａとなっている。突出部３１２ａにより、カップ部３１２の後面（使用者側の面）が前面より上下方向において大きくなっている。
【００３７】
各フック３０４は、側面視で逆“Ｕ”字状のフック本体３４０と、後下部に設けられており左右に並ぶ複数（２箇所）のネジ孔を有するネジ孔部３４２と、その下部の左右から後方に突出する位置決め片３４４とを有する。
フック本体３４０は、前面視で“Ｕ”字状であり、ネジ孔部３４２の左右及び下側に位置している。
ネジ孔部３４２のネジ孔は、支持補助具本体３０２のベース部３１０におけるフック取付部３２０のネジ穴部３３０のネジ穴に重なっており、当該ネジ孔及びネジ穴に、ネジ３４６が通されることで、フック３０４が支持補助具本体３０２に固定される。
一対の位置決め片３４４は、対応するベース部３１０のフック取付部３２０の爪穴部３３２の爪穴に入っており、フック３０４が位置決めされる。
縦リブ３２２及び横リブ３２４が各フック取付部３２０から延びているため、各フック取付部３２０が剛性の高い状態で設けられ、各フック３０４の固定強度が十分に確保される。特に、縦リブ３２２がネジ穴部３３０の各ネジ穴毎に設けられているため、各フック３０４の固定強度が十分となる。
【００３８】
図１１は、支持補助具３０１の使用態様に係る斜視説明図である。図１２は、支持補助具３０１により支持を補助されたドライウォールサンダ１及び延長ハンドル２の使用態様に係る斜視説明図である。尚、図１２において、集塵ホース４２は取り外されている。
支持補助具３０１の使用に際し、使用者Ｕは、腰に腰ベルトＶを装備する。装備品としての腰ベルトＶは、基端が幅広で先端が幅狭である帯状の腰ベルト本体ＶＢと、その基端に接続される図示されないバックルと、当該基端の表側に設けられる複数（２個）ベルト通しＶＴとを有している。使用者Ｕは、腹にバックルが位置した状態で腰ベルトＶを巻き付け、先端部をバックル及びベルト通しＶＴに通して、腰ベルトＶを腰に固定する。尚、腰ベルト本体ＶＢの幅は一定であっても良いし、ベルト通しＶＴは１個又は３個以上であっても良い。
次いで、使用者Ｕは、各フック３０４を、腰ベルトＶの上辺に掛けることで、支持補助具３０１を腰ベルトＶに装着する。このとき、支持補助具本体３０２のベース部３１０の下部が上部に対して徐々に前方となるようなカーブを有しているため、支持補助具本体３０２が腰ベルトＶ及び使用者Ｕに引っ掛かり難く、スムーズな装着が可能となっている。又、ベース部３１０の後面（使用者Ｕの身体当接面）が平坦であるため、支持補助具３０１が使用者Ｕに平坦な部分でソフトに接触することとなる。
続いて、使用者Ｕは、延長ハンドル２が接続されたドライウォールサンダ１を把持し、延長ハンドル２が前上方に伸びる状態で、その操作部２０４の第２把持部２３４を、支持補助具３０１の支持補助具本体３０２のカップ部３１２に入れる。このとき、カップ部３１２の突出部３１２ａが第２把持部２３４を案内可能であり、使用者Ｕは第２把持部２３４をカップ部３１２に入れ易い。
【００３９】
このようにして、延長ハンドル２付きドライウォールサンダ１の支持が、第２把持部２３４及びカップ部３１２を介して支持補助具３０１により補助される。延長ハンドル２付きドライウォールサンダ１の重量の一部は、支持補助具３０１及び腰ベルトＶを介して使用者Ｕの腰回りに及び、延長ハンドル２付きドライウォールサンダ１は使用者Ｕの両手Ｈと腰とで３点支持される。
図１２に示されるように、延長ハンドル２付きドライウォールサンダ１は、使用者Ｕの腰から部屋の天井Ｘまでの距離より長く、使用者Ｕは、例えば支持補助具３０１のカップ部３１２に延長ハンドル２の第２把持部２３４を入れ、延長ハンドル２のフレーム部２０２のアーム部２１２Ｌ，２１２Ｒを左右の手Ｈで握って、ドライウォールサンダ１のパッド１４６の先端工具を天井Ｘに沿って動かし、天井Ｘを支持補助具３０１による支持の補助がない場合に比べて両腕Ｉに対する負担がより軽い状態で天井Ｘを研磨することができる。
又、使用者Ｕは、部屋の天井Ｘより低い壁Ｗを研磨する場合等には、延長ハンドル２を取り外し、ドライウォールサンダ１を単独で使用することができる。
尚、使用者Ｕは、ドライウォールサンダ１のグリップ部３４の延設部３４ｂを、支持補助具３０１のカップ部３１２に入れることができる。この場合、ドライウォールサンダ１に係る延設部３４ｂが、被受け入れ部となる。
【００４０】
このようなドライウォールサンダ１、延長ハンドル２、支持補助具３０１及び腰ベルトＶは、例えば次のように動作する。
即ち、使用者Ｕは、充電されたバッテリ８６を、最長辺が左右方向を向いた状態で、バッテリ装着部３５の左側から右方へスライドすることにより、バッテリ装着部３５に装着する。
又、使用者Ｕは、外筒６０を緩めて竿部３の伸縮状態を変更し、竿部３を所望の長さにした状態で外筒６０を締めることで、竿部３の長さを適宜調節する。
【００４１】
そして、トリガロック部材７８がオフである状態で使用者がトリガ７４を引くと、スイッチ７２がオンとなり、コントローラ８２の制御回路基板１０６により、バッテリ８６の電力が、バッテリ電源端子及び電源端子８８並びに竿部リード線（電源リード線）を介して電動モータ１３８に供給され、モータ軸１７０が回転駆動される。よって、トリガ７４は、スイッチ７２を介して電動モータ１３８のオンオフを切替えるものであり、電動モータ１３８のオンオフを操作するスイッチ操作部であって、トリガ７４及びスイッチ７２は電動モータ１３８のメインスイッチを構成する。
【００４２】
モータ軸１７０の回転力は、遊星歯車機構１４０により減速されてスピンドル１４２に伝わり、スピンドル１４２先端のパッド１４６が運動（回転）する。
かように運動するパッド１４６が、グリップ部３４及び竿部３の把持（ドライウォールサンダ１単体使用時）、又はカップ部２１４に延長ハンドル２の第２把持部２３４を入れた状態におけるアーム部２１２Ｌ，２１２Ｒの把持（延長ハンドル２付きドライウォールサンダ１使用時）等により、被加工材に対し押し付けられるようにし又移動されるようにすることで、被加工材の表面に研磨等の加工が施される。
被加工材は、例えば建築物の壁Ｗあるいは天井Ｘに張られるドライウォール（石膏ボード）であり、より詳しくはドライウォールの施工時においてネジ孔及び継ぎ目を埋めるために用いられるパテである。ドライウォールにおける他の部分から出たパテが、研磨により平坦にされる。
壁Ｗの低い位置を研磨する場合、使用者Ｕは、単体のドライウォールサンダ１の竿部３を使用者Ｕの左右方向に向け、パッド１４６を使用者Ｕから離れた側で壁Ｗに向けた状態で、使用者Ｕからみて上下方向となった延設部３４ｂと、大径パイプ１０又は前竿収納部３０とを持つ。
壁Ｗの高い位置を研磨する場合、使用者Ｕは、単体のドライウォールサンダ１の竿部３を使用者の上下方向に向け、パッド１４６を使用者Ｕから離れた側で壁Ｗに向けた状態で、グリップ部３４（使用者Ｕの上下方向となったグリップ部本体３４ａ又は使用者Ｕの左右方向となった延設部３４ｂ）と、大径パイプ１０又は前竿収納部３０とを持つ。
天井Ｘを研磨する場合、使用者Ｕは、ドライウォールサンダ１に接続した延長ハンドル２の第２把持部２３４を、腰ベルトＶに装着した支持補助具３０１のカップ部３１２に入れて、竿部３を使用者Ｕの上下方向に向け、パッド１４６を使用者Ｕから離れた側で天井Ｘに向けた状態で、アーム部２１２Ｌ，２１２Ｒを持つ。このとき、カップ部３１２に突出部３１２ａが設けられているため、延長ハンドル２付きドライウォールサンダ１の使用者Ｕ側への所定程度以上の接近が阻止され、使用者Ｕが保護される。又、支持補助具３０１のベース部３１０の下部が上部に対して徐々に前方となるようなカーブを有しているため、延長ハンドル２付きドライウォールサンダ１が使用者Ｕから離れる側へ所定程度以上倒れた姿勢となった場合に延長ハンドル２につられて支持補助具３０１が前傾したとしても、支持補助具３０１の使用者Ｕに対する食い込みが緩和される。
何れの場合においても、吊枠部６により、竿部３に対するヘッド部８の向き即ちパッド１４６の向きが所定の範囲内において調整される。
【００４３】
又、モータ軸１７０の回転により、ファン１７６が回転して内排気口及び外排気口から空気が排気され、吸気口１７９から外排気口への空気の流れ（風）が形成される。この風は、モータハウジング本体部１５８内を下降し、中央部内のファン１７６に至る。
この風によって、電動モータ１３８を始めとするヘッド部８の内部機構が冷却される。
特に、モータハウジング本体部１５８の上部内から下降する風は、電動モータ１３８のステータ１６６とロータ１６８との間を通り、電動モータ１３８が効率的に冷却される。
【００４４】
更に、スイッチ７２がオンとなると、コントローラ８２の制御回路基板１０６に搭載された無線通信用コントローラにより無線通信アダプタ８３が制御され、集塵機側無線通信アダプタとの無線通信により集塵機の起動がなされる。
集塵機の空気の吸込による集塵は、次のようになされる。即ち、加工により適宜回転するパッド１４６及び先端工具の周囲に生じた粉塵は、先端工具孔及びパッド孔１９０から、ギヤハウジング孔１９２、ヘッド部外側ハウジング１３０とギヤハウジング１３４との間、及びヘッド部外側ハウジング１３０とモータハウジング１３２との間の空間Ｓを経て、第１ホース１５４に導かれる。第１ホース１５４に導かれた粉塵は、大径パイプ１０の第１中空部２０から小径パイプ１２に達する。小径パイプ１２に達した粉塵は、ジョイント４０を介して集塵ホース４２に吸引される。かように、先端工具孔及びパッド孔１９０（集塵箇所）から集塵ホース４２までにわたり、集塵通路が形成される。尚、ギヤハウジング孔１９２が集塵通路の始端（集塵箇所）とみられても良い。
【００４５】
以上のドライウォールサンダ１の支持補助具３０１は、使用者Ｕの身体に当接可能な板状のベース部３１０と、上方へ開放された凹形状を有するカップ部３１２とを有する支持補助具本体３０２を備えており、カップ部３１２は、ドライウォールサンダ１に係る第２把持部２３４（被受け入れ部）を受け入れ可能である。よって、支持補助具３０１は、使用者Ｕの身体に装着可能である程度の大きさを有してコンパクトであり、取り回し性及び収納性に優れるし、カップ部３１２に第２把持部２３４を出し入れするだけでドライウォールサンダ１の支持の補助の有無が容易に切替可能である。
又、カップ部３１２は、使用者Ｕの側（後側）において上方に突出する突出部３１２ａを有している。よって、カップ部３１２に対し前上方から入る第２把持部２３４が案内され、ドライウォールサンダ１の支持の補助が容易になされる。
更に、使用者Ｕが装備する腰ベルトＶへ装着するための各フック３０４を有している。よって、使用者Ｕは、支持補助具３０１を容易に着脱可能であり、支持補助具３０１の有無を簡単に選択可能である。
又、ベース部３１０における後面（身体当接面）の下部は、側面視で反使用者Ｕ側に曲がっている。よって、支持補助具３０１が使用者Ｕに対しよりソフトに接触することとなり、使用者Ｕが保護される。
更に、ドライウォールサンダ１に、第２把持部２３４（被受け入れ部）を有する延長ハンドル２が接続されている。よって、支持補助具３０１は延長ハンドル２を介してドライウォールサンダ１の支持を補助することとなり、天井Ｘのような使用者Ｕから離れた箇所に対する作業の負担が軽減され、当該作業がより一層行い易くなる。
又、第２把持部２３４（被受け入れ部）は、ドライウォールサンダ１の長手方向（前後方向）と交差する方向（左右方向）に延びている。よって、上下に延びる姿勢で保持される延長ハンドル２付きドライウォールサンダ１が、左右に延びる第２把持部２３４でより安定した支持の補助がなされる。
【００４６】
加えて、ドライウォールサンダ１は、上述の支持補助具３０１により支持の補助がなされる。よって、より安定した支持が可能であるドライウォールサンダ１が提供される。
更に、延長ハンドル２は、ドライウォールサンダ１に接続するためのフレーム部２０２と、ドライウォールサンダ１の長手方向（前後方向）と交差する方向（左右方向）に延びる第２把持部２３４（交差延設部）とを備えている。よって、天井Ｘのような使用者Ｕから離れた箇所に対する作業の負担を軽減するための延長ハンドル２が提供される。
又、ドライウォールサンダ１は、この延長ハンドル２を接続可能である。よって、天井Ｘのような使用者Ｕから離れた箇所に対する作業の負担が軽減され得るドライウォールサンダ１が提供される。
加えて、ドライウォールサンダ１は、バッテリ８６が着脱可能であるバッテリ装着部３５と、延長ハンドル２を接続可能である窪み部３７と、を備えており、窪み部３７に延長ハンドル２が接続された状態で、バッテリ装着部３５にバッテリ８６が着脱可能である。よって、バッテリ８６の取り扱い性に優れた延長ハンドル２が接続可能なドライウォールサンダ１が提供される。
【００４７】
尚、本発明の形態は上記形態に限定されず、例えば次のような変更例を適宜有する。
フック３０４は、１個あるいは３個以上設けられても良いし、複数設けられる場合に互いに形状、材質及び大きさの少なくとも何れかが異なるものであっても良い。又、フック３０４は、支持補助具本体３０２と一体であっても良い。
支持補助具本体３０２のベース部３１０は、下部に代えて、あるいは下部と共に、上部、左部及び右部のうちの少なくとも何れかが反使用者Ｕ側に曲がっていても良い。
延長ハンドル２のアーム部２１２Ｌ，２１２Ｒは、ハンドル部４の上下に接続されても良いし、フレーム部２０２は、三つ股等とされても良い。フレーム部２０２とハンドル部４とは、一方に設けられた爪と他方に設けられた爪係止部とにより接続されても良い。
延長ハンドル２は、ドライウォールサンダ１に設けられた長穴に少なくとも一部が収納可能であり、使用時に長穴から引き出して固定されるものであっても良い。
カップ部３１２に受け入れられる被受け入れ部は、延長ハンドル２の操作部２０４の第２把持部２３４のような把持のために設置されたものに代えて設けられ、あるいはこのようなものと共に設けられた、把持を目的としない凸部等とされても良い。
【００４８】
遊星歯車機構１４０の段数は、１であっても良いし、３以上であっても良い。又、他の形式の減速機構が用いられても良い。
通気孔１１６、内排気口、外排気口及び吸気口１７９の少なくとも何れかの設置数、配置、大きさ等は、様々に変更可能である。
ファン１７６につき、遠心ファン以外の形式のファンが用いられても良い。
電動モータ１３８は、アウターロータ型であっても良いし、ブラシ付きのモータであっても良い。
電動モータ１３８は、電源コードを介して商用電源に接続されるものであっても良く、ＡＣにより駆動されるものであっても良い。
パッド１４６は、偏心スピンドルを介して偏心運動しても良い。又、パッド１４６の形状は、三角形であっても良い。
【００４９】
バッテリ爪及び集塵ノズルの少なくとも何れかが省略されたり、各種軸受、ネジ、及びボタンのうちの少なくとも何れかの数が増減されたり、ボタンに替えてレバースイッチが用いられたり、ピニオン１７２がベルトとプーリに代えられたり、ネジがリベットとされたり、モータハウジング１３２とギヤハウジング１３４とが一体とされたり、前ハンドルハウジング１４と後ハンドルハウジング１５とが一体とされたり、バッテリ装着部３５においてバッテリ８６が充電可能とされたり、使い切りのバッテリが用いられたりする等、各種部材又は部分の機能、配置、種類、形式、数の少なくとも何れかが適宜変更されても良い。
又、本発明は、長竿型ポリッシャあるいは長竿型グラインダ、長竿型コンクリートカンナ等の他の長竿型研磨機に適用することができる。
【符号の説明】
【００５０】
１・・ドライウォールサンダ（長竿型研磨機）、２・・（ドライウォールサンダ１の）延長ハンドル、３５・・バッテリ装着部、３７・・窪み部（延長ハンドル２の被接続部）、８６・・バッテリ、２０２・・フレーム部（接続部）、２０４・・操作部、２３０・・第１把持部、２３４・・第２把持部（被受け入れ部，交差延設部）、３０１・・（ドライウォールサンダ１の）支持補助具、３０２・・支持補助具本体、３０４・・フック（装着部）、３１０・・ベース部（身体当接部）、３１２・・カップ部（凹み部）、３１２ａ・・突出部、Ｕ・・使用者、Ｖ・・腰ベルト（装備品）。
【図１】
2020131371.tif 000003
【図２】
2020131371.tif 000004
【図３】
2020131371.tif 000005
【図４】
2020131371.tif 000006
【図５】
2020131371.tif 000007
【図６】
2020131371.tif 000008
【図７】
2020131371.tif 000009
【図８】
2020131371.tif 000010
【図９】
2020131371.tif 000011
【図１０】
2020131371.tif 000012
【図１１】
2020131371.tif 000013
【図１２】
2020131371.tif 000014